(57)【要約】      （修正有）【課題】改良式タッチパネルの提供。【解決手段】透明基板一つ、第一透明絶縁シート一つ、第二透明絶縁シート一つ、第一透明導電膜一つ、及び第二透明導電膜一つを包含する。第一透明絶縁シートは透明基板上に接合され、透明基板との間に第一ギャップを呈する。第二透明絶縁シートは、第一透明絶縁シート上に接合され、第一透明絶縁シートとの間に第二ギャップを呈する。第一透明導電膜は第二ギャップ内の第一透明絶縁シート上に形成され、第二透明導電膜は第二ギャップ内の第二透明絶縁シート上に形成される。このほかに、本考案に基づくタッチパネルは、第一アンチ・ニュートンリング膜一つと、第二アンチ・ニュートンリング膜一つを包含し、その中で第一アンチ・ニュートンリング膜は第一ギャップ内の第一透明絶縁シート上に形成され、第二アンチ・ニュートンリング（Ａｎｔｉ−Ｎｅｗｔｏｎ  Ｒｉｎｇ）膜は第二透明導電膜と第二透明絶縁シート上の間に形成される。【選択図】図５
0003120472.tif 000002
【実用新案登録請求の範囲】
【請求項１】
一種のタッチパネルであり、透明基板、第一透明絶縁シート、第二透明絶縁シート、
第一透明導電膜及び第二透明導電膜を包含し、第一透明絶縁シートは透明基板上に接合され、その透明基板との間に第一ギャップを呈し、第二透明絶縁シートは第一透明絶縁シート上に接合され、第一透明絶縁シートとの間に第二ギャップを呈し、第一透明導電膜は第二ギャップ内のその第一透明絶縁シート上に形成され、
第二透明導電膜は第二ギャップ内のその第二透明絶縁シート上に形成されることを特徴とするタッチパネル。
【請求項２】
請求項１に述べるタッチパネルにおいて、第一ギャップ内の第一透明絶縁シート上に形成される、第一アンチ・ニュートンリング膜を包含することを特徴とするタッチパネル。
【請求項３】
請求項１に述べるタッチパネルにおいて、第二透明導電膜と第二透明絶縁シートとの間に形成される、第二アンチ・ニュートンリング膜を包含することを特徴とするタッチパネル。
【請求項４】
請求項１に述べるタッチパネルにおいて、そのうち、透明基板はプラスチック、アクリル、ガラスポリカーボネート（ＰＣ）より組成されるグループを選ぶことを特徴とするタッチパネル。
【請求項５】
請求項１に述べるタッチパネルにおいて、そのうち、該第一透明絶縁シートの材質はＰＥＴ，ＰＣ，ＡＲＴＯＮ，ＺＥＯＮより組成されるグループを選ぶことを特徴とするタッチパネル。
【請求項６】
請求項１に述べるタッチパネルにおいて、そのうち、該第二透明絶縁シートの材質はＰＥＴ，ＰＣ，ＡＲＴＯＮ，ＺＥＯＮより組成されるグループを選ぶことを特徴とするタッチパネル。
【請求項７】
請求項１に述べるタッチパネルにおいて、そのうち、第一透明導電膜とその第二透明導電膜は酸化インジウム・スズであることを特徴とするタッチパネル。
【請求項８】
請求項１に述べるタッチパネルにおいて、そのうち、第二透明導電膜上に形成される若干のスペーサーを包含することを特徴とするタッチパネル。
【請求項９】
一種のタッチパネルであり、透明基板、第一透明絶縁シート、第二透明絶縁シート、第一透明導電膜及び第二透明導電膜、第一アンチ・ニュートンリング膜及び第二アンチ・ニュートンリング膜を包含し、第一透明絶縁シートは透明基板上に接合され、その透明基板との間に第一ギャップを呈し、第二透明絶縁シートは第一透明絶縁シート上に接合され、第一透明絶縁シートとの間に第二ギャップを呈し、第一透明導電膜は第二ギャップ内のその第一透明絶縁シート上に形成され、第二透明導電膜は第二ギャップ内のその第二透明絶縁シート上に形成され、
第一アンチ・ニュートンリング膜は第一ギャップ内のその第一透明絶縁シート上に形成され、第二アンチ・ニュートンリング膜は第二透明導電膜と第二透明絶縁シートとの間に形成されることを特徴とするタッチパネル。
【請求項１０】
請求項９に述べるタッチパネルにおいて、そのうち、透明基板はプラスチック、アクリル、ガラスポリカーボネート（ＰＣ）より組成されるグループを選ぶことを特徴とするタッチパネル。
【請求項１１】
請求項９に述べるタッチパネルにおいて、そのうち、該第一透明絶縁シートの材質はＰＥＴ，ＰＣ，ＡＲＴＯＮ，ＺＥＯＮより組成されるグループを選ぶことを特徴とするタッチパネル。
【請求項１２】
請求項９に述べるタッチパネルにおいて、そのうち、該第二透明絶縁シートの材質はＰＥＴ，ＰＣ，ＡＲＴＯＮ，ＺＥＯＮより組成されるグループを選ぶことを特徴とするタッチパネル。
【請求項１３】
請求項９に述べるタッチパネルにおいて、そのうち、第一透明導電膜とその第二透明導電膜は酸化インジウム・スズであることを特徴とするタッチパネル。
【請求項１４】
請求項９に述べるタッチパネルにおいて、そのうち、第二導電膜上に形成される若干のスペーサーを包含することを特徴とするタッチパネル。
【考案の詳細な説明】
【技術分野】
【０００１】
本考案はタッチパネルの技術に関するもので、特に改良式タッチパネルの一種に関するものである。
【背景技術】
【０００２】
通常、タッチパネル（Ｔｏｕｃｈ  Ｐａｎｅｌ）は、液晶パネル（Ｌｉｑｕｉｄ  Ｃｒｙｓｔａｌ  Ｐａｎｅｌ）モニター、或いは陰極線管（Ｃａｔｈｏｄｅ  Ｒａｙ  Ｔｕｂｅ）モニターと結合し、使用者がインプットするためのインタフェースとする。つまり、使用者はタッチパネルにより、カーソル（ｃｕｒｓｏｒ）の移動やアイコン（ｉｃｏｎ）の選択などの操作ができる。
【０００３】
第１図、第２図に示すのは、周知のＦ／Ｇ（Ｆｉｌｍ−ｏｎ−Ｇｌａｓｓ）タイプのタッチパネル１の断面図である。このＦ／Ｇタイプのタッチパネル１は、主にガラス基板１０一つと絶縁シート１２を一つを包含し、このガラス基板１０はノンアルカリ・ガラス（ｎｏｎ−ａｌｋａｌｉ  ｇｌａｓｓ）で構成することができ、また、絶縁シート１２はポリエステルシート（Ｐｏｌｙｅｓｔｅｒ  Ｓｈｅｅｔ、またはＰＥＴシートと称する）とすることができる。第１図に示すように、酸化インジウム・スズ（ＩＴＯ）層１１一つがガラス基板１０の表面を覆い、また別の酸化インジウム・スズ（ＩＴＯ）層１３一つが絶縁シート１２の表面を覆う。そして、ガラス基板１０は、粘着（ａｄｈｅｓｉｏｎ）物質１５により、絶縁シート１２と接合され、ガラス基板１０を酸化インジウム・スズ（ＩＴＯ）層１１により、絶縁シート１２の酸化インジウム・スズ（ＩＴＯ）層１３と向き合わせる。このほか、酸化インジウム・スズ（ＩＴＯ）層１１と１３との間を一定のキャップに保つため、通常、ガラス基板１０の酸化インジウム・スズ（ＩＴＯ）層１１上に若干のスペーサー（ｓｐａｃｅｒ）を１４を設置し、短絡現象が起こるのを避ける。
【０００４】
絶縁シート１２は軟性材質に属し、ガラス基板１０と適切に接合されていないと、第２図に示すように、絶縁シート１２が下方へ湾曲する現象が起こりやすい。通常、絶縁シート１２の湾曲は中央エリア１６付近の場所に現れ、光学回折（ｄｉｆｆｒａｃｔｉｏｎ）現象により、ニュートンリング（Ｎｅｗｔｏｎ  Ｒｉｎｇ）現象が発生する。
【０００５】
第３図に示すのは、周知のＦ／Ｆ／Ｐ（Ｆｉｌｍ−ｔｏ−Ｆｉｌｍ−ｏｎ−Ｐｌａｓｔｉｃ）タイプのタッチパネルの断面図である。このＦ／Ｆ／Ｐタイプのタッチパネル２は、主にプラスチック基板２０と二個の絶縁シート２２、２４を包含し、このプラスチック基板２０はアクリル（ａｃｒｙｌｉｃ）或いはポリカーボネート（ｐｏｌｙｃａｒｂｏｎａｔｅ、ＰＣ）で構成することができ、絶縁シート２２と２４はどちらもポリエステルシート（Ｐｏｌｙｅｓｔｅｒ  Ｓｈｅｅｔ、またはＰＥＴシートと称する）或いはその他のプラスチックシート（ＰＣ，ＡＲＴＯＮ，ＺＥＯＮＯＲなど）とすることができる。第３図に示すように、酸化インジウム・スズ（ＩＴＯ）層２３が絶縁シート２２の表面を覆い、もう一つの酸化インジウム・スズ（ＩＴＯ）層２５が絶縁シート２４の表面を覆う。第３図に示すように、プラスチック基板２０は、粘着（ａｄｈｅｓｉｏｎ）層２１により、全シート粘着方式で絶縁シート２２と接合され、もう一つの絶縁シート２２は、粘着（ａｄｈｅｓｉｏｎ）物質２６により、絶縁シート２４と接合され、絶縁シート２２を酸化インジウム・スズ（ＩＴＯ）層２３により、絶縁シート２４の酸化インジウム・スズ（ＩＴＯ）層２５と向き合わせる。このほかに、酸化インジウム・スズ（ＩＴＯ）層２３と２５との間を一定の距離に保つため、通常、絶縁シート２２の酸化インジウム・スズ（ＩＴＯ）層２３に若干のスペーサー（ｓｐａｃｅｒ）を２７を設置し、短絡現象が起こるのを避ける。
【０００６】
粘着層２１が全シート塗布方式でプラスチック基板２０と絶縁シート２２の間に介在することで、粘着槽２１は不純物（ｉｍｐｕｒｉｔｉｅｓ）或いは気泡（ｂｕｂｂｌｅｓ）などを含みやすいという問題があるため、生産良品率（ｙｉｅｌｄ  ｒａｔｅ）を悪化させるという結果を招く。また、絶縁シート２４は軟性材質に属し、絶縁シート２４が適切に接合されていないと、絶縁シート２４が下方へ湾曲する現象が起こりやすく、光学回折（ｄｉｆｆｒａｃｔｉｏｎ）現象により、中央エリア２８付近にニュートンリング（Ｎｅｗｔｏｎ  Ｒｉｎｇ）現象が発生する。
【考案の開示】
【考案が解決しようとする課題】
【０００７】
このため、本考案の目的は、粘着物質が不純物或いは気泡を含むことで、良品率の悪化を招く問題を避ける事ができる、改良式タッチパネルを提供する事である。
【０００８】
また、本考案のもう一つの目的は、ニュートンリング現象の問題を除去できる、改良式タッチパネルを提供する事である。
【０００９】
本考案がタッチパネルを提供することで、上記の目的を達成することができる。本考案に基づくタッチパネルは、以下のものを包含する。透明基板一つ、その透明基板上に接合され、その透明基板との間に第一ギャップを呈する、第一透明絶縁シート一つ、その第一透明絶縁シート上に接合され、その第一透明絶縁シートとの間に第二ギャップを呈する、第二透明絶縁シート一つ、その第二ギャップ内のその第一透明絶縁シート上に形成される、第一透明導電膜一つ、及び、その第二ギャップ内のその第二透明絶縁シート上に形成される、第二透明導電膜一つ。
【００１０】
さらに、本考案は、もう一つのタッチパネルの一種を提供する事で、上記の目的を達成することができる。本考案に基づくタッチパネルは、以下のものを包含する。透明基板一つ、その透明基板上に接合され、その透明基板との間に第一ギャップを呈する、第一透明絶縁シート一つ、その第一透明絶縁シート上に接合され、その第一透明絶縁シートとの間に第二ギャップを呈する、第二透明絶縁シート一つ、その第二ギャップ内のその第一透明絶縁シート上に形成される、第一透明導電膜一つ、その第二ギャップ内のその第二透明絶縁シート上に形成される、第二透明導電膜一つ、その第一ギャップ内のその第一透明絶縁シート上に形成される、第一アンチ・ニュートンリング膜一つ、及び、その第二透明導電膜と第二透明絶縁シートとの間に形成される、第二アンチ・ニュートンリング膜一つ。
【課題を解決するための手段】
【００１１】
請求項１の考案は、一種のタッチパネルであり、透明基板、第一透明絶縁シート、第二透明絶縁シート、第一透明導電膜及び第二透明導電膜を包含し、第一透明絶縁シートは透明基板上に接合され、その透明基板との間に第一ギャップを呈し、第二透明絶縁シートは第一透明絶縁シート上に接合され、第一透明絶縁シートとの間に第二ギャップを呈し、第一透明導電膜は第二ギャップ内のその第一透明絶縁シート上に形成され、第二透明導電膜は第二ギャップ内のその第二透明絶縁シート上に形成されることを特徴とするタッチパネルとしている。
請求項２の考案は、請求項１に述べるタッチパネルにおいて、第一ギャップ内の第一透明絶縁シート上に形成される、第一アンチ・ニュートンリング膜を包含することを特徴とするタッチパネルとしている。
請求項３の考案は、請求項１に述べるタッチパネルにおいて、第二透明導電膜と第二透明絶縁シートとの間に形成される、第二アンチ・ニュートンリング膜を包含することを特徴とするタッチパネルとしている。
請求項４の考案は、請求項１に述べるタッチパネルにおいて、そのうち、透明基板はプラスチック、アクリル、ガラスポリカーボネート（ＰＣ）より組成されるグループを選ぶことを特徴とするタッチパネルとしている。
請求項５の考案は、請求項１に述べるタッチパネルにおいて、そのうち、該第一透明絶縁シートの材質はＰＥＴ，ＰＣ，ＡＲＴＯＮ，ＺＥＯＮより組成されるグループを選ぶことを特徴とするタッチパネルとしている。
請求項６の考案は、請求項１に述べるタッチパネルにおいて、そのうち、該第二透明絶縁シートの材質はＰＥＴ，ＰＣ，ＡＲＴＯＮ，ＺＥＯＮより組成されるグループを選ぶことを特徴とするタッチパネルとしている。
請求項７の考案は、請求項１に述べるタッチパネルにおいて、そのうち、第一透明導電膜とその第二透明導電膜は酸化インジウム・スズであることを特徴とするタッチパネルとしている。
請求項８の考案は、請求項１に述べるタッチパネルにおいて、そのうち、第二透明導電膜上に形成される若干のスペーサーを包含することを特徴とするタッチパネルとしている。
請求項９の考案は、一種のタッチパネルであり、透明基板、第一透明絶縁シート、第二透明絶縁シート、第一透明導電膜及び第二透明導電膜、第一アンチ・ニュートンリング膜及び第二アンチ・ニュートンリング膜を包含し、第一透明絶縁シートは透明基板上に接合され、その透明基板との間に第一ギャップを呈し、第二透明絶縁シートは第一透明絶縁シート上に接合され、第一透明絶縁シートとの間に第二ギャップを呈し、第一透明導電膜は第二ギャップ内のその第一透明絶縁シート上に形成され、第二透明導電膜は第二ギャップ内のその第二透明絶縁シート上に形成され、
第一アンチ・ニュートンリング膜は第一ギャップ内のその第一透明絶縁シート上に形成され、第二アンチ・ニュートンリング膜は第二透明導電膜と第二透明絶縁シートとの間に形成されることを特徴とするタッチパネルとしている。
請求項１０の考案は、請求項９に述べるタッチパネルにおいて、そのうち、透明基板はプラスチック、アクリル、ガラスポリカーボネート（ＰＣ）より組成されるグループを選ぶことを特徴とするタッチパネルとしている。
請求項１１の考案は、請求項９に述べるタッチパネルにおいて、そのうち、該第一透明絶縁シートの材質はＰＥＴ，ＰＣ，ＡＲＴＯＮ，ＺＥＯＮより組成されるグループを選ぶことを特徴とするタッチパネルとしている。
請求項１２の考案は、請求項９に述べるタッチパネルにおいて、そのうち、該第二透明絶縁シートの材質はＰＥＴ，ＰＣ，ＡＲＴＯＮ，ＺＥＯＮより組成されるグループを選ぶことを特徴とするタッチパネルとしている。
請求項１３の考案は、請求項９に述べるタッチパネルにおいて、そのうち、第一透明導電膜とその第二透明導電膜は酸化インジウム・スズであることを特徴とするタッチパネルとしている。
請求項１４の考案は、請求項９に述べるタッチパネルにおいて、そのうち、第二導電膜上に形成される若干のスペーサーを包含することを特徴とするタッチパネルとしている。
【考案の効果】
【００１２】
本考案は、粘着物質が不純物或いは気泡を含むことで、良品率の悪化を招く問題を避ける事ができる、改良式タッチパネルを提供する事である。ニュートンリング現象の問題を除去できる、改良式タッチパネルを提供する事である。
【考案を実施するための最良の形態】
【００１３】
第４図は、本考案に基づく好ましい実施例のタッチパネル３の断面図を示す。このタッチパネル３は、主に透明基板３０一つと二個の透明絶縁シート３２と３４を包含する。この透明基板３０は、プラスチック、アクリル、ガラス或いはポリカーボネート（ｐｏｌｙｃａｒｂｏｎａｔｅ、ＰＣ）などの材質で構成することができ、絶縁シート３２と３４はどちらもポリエステルシート（Ｐｏｌｙｅｓｔｅｒ  Ｓｈｅｅｔ、またはＰＥＴシートと称する）或いはその他のプラスチックシート（ＰＣ，ＡＲＴＯＮ，ＺＥＯＮＯＲ）で構成することができる。第３図に示すように、第一透明導電膜３３一つは、絶縁シート３２の表面３２Ｓを覆い、第二透明導電膜３５一つは、絶縁シート３４の表面３４Ｓを覆う。この第一透明導電膜３３と第二透明導電膜３５は、酸化インジウム・スズ（ＩＴＯ）の材質で構成することができる。
【００１４】
また、第４図に示すように、透明基板３０は粘着（ａｄｈｅｓｉｏｎ）物質３１により、透明絶縁シート３２と接合され、粘着（ａｄｈｅｓｉｏｎ）物質３１が透明基板３０と透明絶縁シート３２の周辺エリアのみに設置されるため、透明基板３０と透明絶縁シート３２の間にギャップ（ｇａｐ）３８を形成し、このギャップ３８内に気体を充填したり、或いは真空状態とすることができる。また、透明絶縁シート３２は粘着物質３６により、絶縁シート３４と接合され、透明絶縁シート３２を第一透明導電膜３３により、絶縁シート３４の第二透明導電膜３５と向き合わせる。粘着（ａｄｈｅｓｉｏｎ）物質３６が透明絶縁シート３２と３４の周囲エリアのみに設置されるため、透明絶縁シート３２と３４の間にギャップ（ｇａｐ）３９を形成し、このギャップ３９内に気体を充填したり、或いは真空状態とすることができる。このほか、透明導電膜３３と３５のとの間を一定のキャップに保つため、通常、絶縁シート３２の第一透明導電膜３３上に若干のスペーサー（ｓｐａｃｅｒ）３７を設置し、短絡現象が起こるのを避ける。
【００１５】
このように、第４図に示すタッチパネル３の粘着物質３１が、透明基板３０と透明絶縁シート３２の周囲エリアのみに設置され、全シート塗布方式でないため、不純物或いは気泡が粘着物質３１内に現れてもよく、製品良品率の悪化を憂慮しなくてよい。
【００１６】
第５図は、本考案に基づく、もう一つの好ましい実施例のタッチパネル４の断面図を示す。このタッチパネル４は、主に透明基板４０一つと二個の透明絶縁シート４２と４６を包含し、この透明基板４０は、プラスチック、アクリル或いはガラスなどの材質で構成することができ、絶縁シート４２と４６はどちらもポリエステルシート（Ｐｏｌｙｅｓｔｅｒ  Ｓｈｅｅｔ、またはＰＥＴシートと称する）で構成することができる。第５図に示すように、第一透明導電膜４３一つは、透明絶縁シート４２の表面４２Ａを覆い、第一アンチ・ニュートンリング（Ａｎｔｉ−Ｎｅｗｔｏｎ  Ｒｉｎｇ）膜４４は、透明絶縁シート４２のもう一つの表面４２Ｂを覆う。第二アンチ・ニュートンリング（Ａｎｔｉ−Ｎｅｗｔｏｎ  Ｒｉｎｇ）膜４７は、透明絶縁シート４６の表面４６Sを覆い、第二透明導電膜４８は、第二アンチ・ニュートンリング膜４７上を覆う。この第一透明導電膜４３と第二透明導電膜４８は、酸化インジウム・スズ（ＩＴＯ）の材質で構成することができ、第一アンチ・ニュートンリング膜４４と第二アンチ・ニュートンリング膜４７はアクリル系又は二酸化珪素系ポリマーなどの物質で構成することができる。
【００１７】
また、第５図に示すように、透明基板４０は粘着（ａｄｈｅｓｉｏｎ）物質４１により、透明絶縁シート４２と接合され、第一アンチ・ニュートンリング膜４４を透明基板４０と向き合わせる。粘着物質４１が透明基板４０と透明絶縁シート４２の周囲エリアのみに設置されるため、透明基板４０と透明絶縁シート４２の間にギャップ（ｇａｐ）５０を形成し、このギャップ５０内に気体を充填したり、或いは真空状態とすることができる。さらに、透明絶縁シート４２は粘着物質４５により絶縁シート４６と接合され、透明絶縁シート４２を第一透明導電膜４３により、透明絶縁シート４６の第二透明導電膜４８と向き合わせる。粘着物質４５が透明絶縁シート４２と４６の周囲エリアのみに設置されるため、透明絶縁シート４２と４６の間にギャップ（ｇａｐ）５１を形成し、このギャップ５１内に気体を充填したり、或いは真空状態とすることができる。このほか、透明導電膜４３と４８の間を一定のキャップに保つため、通常、絶縁シート４２の第一透明導電膜４３上に若干のスペーサー（ｓｐａｃｅｒ）４９を設置し、短絡現象が起こるのを避ける。
【００１８】
これにより、第５図に示すタッチパネル４の粘着物質４１は、透明基板４０と透明絶縁シート４２の周囲エリアのみに設置され、全シート塗布方式でないため、たとえ不純物或いは気泡が粘着物質４１内に現れても、製品良品率の悪化を憂慮しなくてよい。また、タッチパネル４は、第一アンチ・ニュートンリング膜４４と第二アンチ・ニュートンリング膜４７を、それぞれ透明絶縁シート４２の表面４２Ａと４６の表面４６Ｓ上に形成し、ニュートンリング現象の問題除去を一歩進めることができる。
【図面の簡単な説明】
【００１９】
【図１】周知のＦ／Ｇタイプのタッチパネルの断面図である。
【図２】周知のＦ／Ｇタイプのタッチパネルの断面図である。
【図３】周知のＦ／Ｆ／Ｐタイプのタッチパネルの断面図である。
【図４】本考案に基づく、好ましい実施例のタッチパネルの断面である。
【図５】本考案に基づく、もう一つの好ましい実施例のタッチパネルの断面図である。
【符号の説明】
【００２０】
１、２、３、４  タッチパネル
１０、２０、３０、４０  基板
１２、２２、２４、３２、３４、４２、４６  透明絶縁シート
１１、１３、２３、２５、３３、３５、４３、４７  透明導電膜
１５、２１、２６、３１、３６、４１、４５  粘着物質
１４、２７、３７、４９  スペーサー
４４、４８  アンチ・ニュートンリング膜
３８、３９、５０、５１  ギャップ
【図１】
0003120472.tif 000003
【図２】
0003120472.tif 000004
【図３】
0003120472.tif 000005
【図４】
0003120472.tif 000006
【図５】
0003120472.tif 000007